(57)【要約】【課題】コストを重視して色剤使用量を低減し過ぎて画質が低下し、あるいは、画質を重視して色剤使用量の低減の効果が薄れる。【解決手段】ＣＭＭ変換処理部２Ｂは、入力画像データをカラー印刷するときに使用する色剤の使用量を低減する指定が指定されたとき、色剤使用量低減モード用ＣＭＭ変換ＬＵＴを用いてＣＭＭ変換処理を行い、ＲＧＢ色空間からＣＭＹ色空間への変換処理を行うときに、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が入力画像をモノクロ印刷したときの色剤の使用量と同じ色剤使用量になるデータに変換する。【選択図】図１
2010074325.tif 000002
【特許請求の範囲】
【請求項１】
入力画像データを、色剤を使用して画像を出力する画像形成装置用の出力画像データに変換する画像処理装置において、
前記入力画像データについて、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理を行う手段を備えている
ことを特徴とする画像処理装置。
【請求項２】
入力画像データを、色剤を使用して画像を出力する画像形成装置用の出力画像データに変換する画像処理装置において、
前記入力画像データについて、入力画像をフルカラー印刷したときの色域を基準として、彩度域はフルカラー印刷時に対し相似形となるよう圧縮し、更に色剤の使用量が前記入力画像をモノクロ印刷したときの色剤の使用量と同じ色剤使用量になるデータに変換する色剤使用量低減処理を行う手段を備えている
ことを特徴とする画像処理装置。
【請求項３】
入力画像データを、色剤を使用して画像を出力する画像形成装置用の出力画像データに変換する画像処理装置において、
前記入力画像データについて、入力画像をフルカラー印刷したときの色域を基準として、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理を行う手段を備えている
ことを特徴とする画像処理装置。
【請求項４】
前記色剤使用量低減処理はＲＧＢ空間からＣＭＹ空間への色空間の変換に伴って行われることを特徴とする請求項１ないし３のいずれか記載の画像処理装置。
【請求項５】
入力画像データを、色剤を使用して画像を出力する画像形成装置用の出力画像データに変換する画像処理方法において、
前記入力画像データについて、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理を行う
ことを特徴とする画像処理方法。
【請求項６】
入力画像データを、色剤を使用して画像を出力する画像形成装置用の出力画像データに変換する処理をコンピュータに行わせるプログラムにおいて、
前記入力画像データについて、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理をコンピュータに行わせる
ことを特徴とするプログラム。
【請求項７】
請求項６に記載のプログラムが記録されていることを特徴とする記録媒体。
【請求項８】
請求項１ないし４のいずれかに記載の画像処理装置と、
前記画像処理装置からの出力画像データに応じて色剤を使用して画像を出力する画像形成装置と、を備えている
ことを特徴とする印刷システム。
【請求項９】
入力画像データに応じて色剤を使用して画像を出力する画像形成装置において、
前記入力画像データについて、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理を行う手段を備えている
ことを特徴とする画像形成装置。
【発明の詳細な説明】
【技術分野】
【０００１】
本発明は画像処理装置、画像処理方法、プログラム、記録媒体、印刷システム、画像形成装置に関する。
【背景技術】
【０００２】
一般に、画像データを処理する画像処理装置、例えばパーソナルコンピュータ、ワークステーションなどにおいては、アプリケーションソフトによって文字やグラフィックス、イメージなどからなる各種ドキュメントを作成することができ、このようなドキュメントを画像として形成出力するプリンタ、ファクシミリ、複写装置、プリンタ／ファクシミリ／複写機の複合機などの各種画像形成装置は、インクジェット記録方式や電子写真方式などの画像形成方式によって、トナーやインクなどの色剤（画像形成材、色材も同義語）を使用して画像を形成（記録、印刷なども同義語で使用する。）する。
【０００３】
ところで、特にオフィスなどで使用される画像形成装置を使用して画像を出力する場合、印刷画像の画質もさることながら印刷コストも重要な要素である。つまり、モノクロ印刷であれば、基本的に使用する色剤はＫ（黒）１色であるが、カラー印刷の場合、ＣＭＹＫの４色（場合によっては、特殊なカラーを含めて４色以上）の色剤が使用されることになる。カラー画像を出力する場合（表現する場合）においては、各色が単独で使用されだけでなく、同一箇所で色剤を重ね合わせて様々な色調を表現することから、印刷にかかるコストは、単純に計算しても数倍に跳ね上がることになる。
【０００４】
そこで、通常、カラー画像を印刷出力する場合に、そのまま印刷した場合の色剤の使用量よりも相対的に色剤の使用量を減らす印刷モード（これを「色剤使用量低減モード」という。エコノモード、省インクモード、セーブモードなどとも称される。）を搭載することで、より低コストでの印刷を行うことができるようにしている。
【０００５】
例えば、特許文献１に記載されているように、指定された条件に基づいて画像形成材の使用量をセーブする画像形成材セーブに関する目標を設定し、設定された目標に基づいて入力色情報に対する色再現条件を変更する、例えば、色空間のγ値を変更する、色域圧縮条件を変更する、色域の圧縮方向を変更するなどの処理を行うことが知られている。
【０００６】
また、特許文献２に記載されているように印刷データに対して特定のパターンで間引き処理を行うこと、特許文献３に記載されているように入力データに対して一定の比率で階調を減らす処理を行うこと、特許文献４に記載されているように、色剤消費量が多いオブジェクト（画像を形成する要素）順にオブジェクトの濃度を薄く（ただし、輪郭が内部よりも濃くなるように）して、所定の色剤使用量まで低減することなどが知られている。
【０００７】
【特許文献１】特開２００６−６８９８２号公報
【特許文献２】特開２００６−２７０９２７号公報
【特許文献３】特開平０９−２１６４１９号公報
【特許文献４】特許第３２６８７１２号公報
【発明の開示】
【発明が解決しようとする課題】
【０００８】
しかしながら、上述した従来の技術では、色剤の低減量についてどの程度の使用量まで低減するかについては定かでなく、画質とコストのバランスが採れていない。特に、コストを重視して色剤使用量を低減し過ぎると、画像全体が薄くぼやけた画質となり、本来カラー化によって得られるはずであった画像のメリハリが損なわれることになり、あるいは、画質を重視すると、色剤使用量低減の効果が薄れる。
【０００９】
例えば、カラー出力即ち色は、色相によって明るさ（明度）や鮮やかさ（彩度）が異なるものであり、一律の補正では、色相によっては大きく品質が損なわれてしまう場合がある。
【００１０】
このように、従来は色剤使用量の低減と色剤使用量の低減による画質の低下を両立することができないという課題がある。
【００１１】
本発明は上記の課題に鑑みてなされたものであり、画像品質の低下を抑えつつ色剤のコストを低減できるようにすることを目的とする。
【課題を解決するための手段】
【００１２】
上記の課題を解決するために、本発明に係る画像処理装置は、
入力画像データを、色剤を使用して画像を出力する画像形成装置用の出力画像データに変換する画像処理装置において、
前記入力画像データについて、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理を行う手段を備えている
構成とした。
【００１３】
本発明に係る画像処理装置は、
入力画像データを、色剤を使用して画像を出力する画像形成装置用の出力画像データに変換する画像処理装置において、
前記入力画像データについて、入力画像をフルカラー印刷したときの色域を基準として、彩度域はフルカラー印刷時に対し相似形となるよう圧縮し、更に色剤の使用量が前記入力画像をモノクロ印刷したときの色剤の使用量と同じ色剤使用量になるデータに変換する色剤使用量低減処理を行う手段を備えている
構成とした。
【００１４】
本発明に係る画像処理装置は、
入力画像データを、色剤を使用して画像を出力する画像形成装置用の出力画像データに変換する画像処理装置において、
前記入力画像データについて、入力画像をフルカラー印刷したときの色域を基準として、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理を行う手段を備えている
構成とした。
【００１５】
これらの各発明に係る画像処理装置においては、前記色剤使用量低減処理はＲＧＢ空間からＣＭＹ空間への色空間変換に伴って行われる構成とすることができる。
【００１６】
本発明に係る画像処理方法は、
入力画像データを、色剤を使用して画像を出力する画像形成装置用の出力画像データに変換する画像処理方法において、
前記入力画像データについて、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理を行う
構成とした。
【００１７】
本発明に係るプログラムは、
入力画像データを、色剤を使用して画像を出力する画像形成装置用の出力画像データに変換する処理をコンピュータに行わせるプログラムにおいて、
前記入力画像データについて、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理をコンピュータに行わせる
構成とした。
【００１８】
本発明に係る記録媒体は、本発明に係るプログラムを記録した構成とした。
【００１９】
本発明に係る印刷システムは、
本発明に係る画像処理装置と、
前記画像処理装置からの出力画像データに応じて色剤を使用して画像を出力する画像形成装置と、を備えている
構成とした。
【００２０】
本発明に係る画像形成装置は、
入力画像データに応じて色剤を使用して画像を出力する画像形成装置において、
前記入力画像データについて、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が前記入力画像をモノクロ印刷したときの色剤の使用量と同じ色剤使用量になるデータに変換する色剤使用量低減処理を行う手段を備えている
構成とした。
【発明の効果】
【００２１】
本発明に係る画像処理装置、画像処理方法、プログラム、印刷システム、画像形成装置によれば、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が入力画像をモノクロ印刷したときの色剤の使用量と同じ色剤使用量になるデータに変換する色剤使用量低減処理を行うので、画像品質の低下を抑えつつ色剤のコストを低減できるようになる。本発明に係る記録媒体によれば、本発明に係るプログラムを記録しているので、本発明に係るプログラムを提供することができる。
【発明を実施するための最良の形態】
【００２２】
以下、本発明の実施の形態について添付図面を参照して説明する。
図１は本発明に係る画像処理方法を行う本発明に係る画像処理装置の説明に供する機能ブロック説明図である。
この画像処理装置は、アプリケーションソフトなどから与えられた入力画像データ１を、画像形成装置で出力する出力画像データ７に変換するため、モニタ表示用の色空間から記録装置（画像形成装置）用の色空間への変換（一般的な４色プリンタであれば、ＲＧＢ表色系→ＣＭＹ表色系）を行なうＣＭＭ（Color Management Module）処理部２Ａ、２Ｂと、ＣＭＹの値から黒生成／下色除去を行なうＢＧ／ＵＣＲ（black generation/ Under Color Removal）処理部３と、記録制御信号となるＣＭＹＫ信号に対し画像形成装置が画像形成できる色剤の最大総量値に応じてＣＭＹＫ信号を補正する総量規制処理部４と、画像形成装置の特性やユーザの嗜好を反映した入出力補正を行なうγ補正処理部５と、階調データをドットパターン配置に置き換える中間調処理部６とを有している。なお、これらの各処理部２Ａ、２Ｂ、３ないし６はプログラムで構成されている。
【００２３】
ここで、ＣＭＭ変換処理部２Ａは、色剤使用量低減処理を行わない（入力画像をそのままフルカラーで再現する）通常モードにおけるＣＭＭ変換処理を行う。ＣＭＭ変換処理手段２Ｂは、本発明に係る色剤使用量低減処理を行う手段であり、入力画像をカラー印刷するときに通常モードよりも色剤の使用量を低減して出力させる色剤使用量低減モードが指定されたときに、入力されたＲＧＢデータを、色剤使用量低減ＣＭＭ変換用ルックアップテーブル（ＬＣＴ）を使用して、色剤の使用量を低減したカラーデータ（プロセスカラーの色剤のみで表現する場合は、ＣＭＹやＣＭＹＫ）データに変換する処理を行う。
【００２４】
つまり、本発明における色剤使用量低減処理手段（色剤使用量低減モードを行う手段）は、上述したように、ＣＭＭ変換処理によって行うようにしている。ＣＭＭ変換処理は、図２に示すように、３次元ＬＵＴ（ルックアップテーブル）を使用して、プロセスカラーのみで色を表現する場合、入力各色のＲＧＢ成分を一対一に対応するＣＭＹ成分へと変換するため、入力色毎に独立した設定が可能であり、色毎の色剤使用量の調整に適した処理を行うことができる。
【００２５】
そこで、このＣＭＭ変換処理部２Ａで使用するＬＵＴの値として、入力値に対し、入力画像をフルカラー印刷したときの色域を基準として、彩度域について明度特性はフルカラー印刷時よりも全体的に高くなるように圧縮し、更に色剤の使用量が入力画像をモノクロ印刷したときの色剤の使用量と同じ色剤使用量になる変換値（プロセスカラーのみで表現する場合、ＣＭＹの値又はＣＭＹＫの値）として組み込んでおくことによって、入力画像データについて、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が前記入力画像をモノクロ印刷したときの色剤の使用量と同じ色剤使用量になるデータに変換する処理をＣＭＭ変換処理に伴って行うことができる。なお、このようなＬＵＴを上述したように「色剤使用量低減用ＣＭＭ変換ＬＵＴ」という。
【００２６】
なお、上記の例では、プロセスカラーであるＣＭＹ（＋Ｋ）をベースとした色剤構成の場合について説明しているが、ＣＭＹＫに加えて、ライトシアン（ＬＣ）、ライトマゼンタ（ＬＭ）などの薄色色剤や、レッド（Ｒ）、グリーン（Ｇ）、ブルー（Ｂ）、オレンジ（Ｏ）などの特色色剤を使用する場合においても、ＣＭＹ（＋Ｋ）の場合の処理と同様にＣＭＭ変換処理にて色剤調整を適用することができる。
【００２７】
つまり、色剤使用量低減処理は入力装置の色空間から出力装置の色空間への変換処理に伴って行うことができ、上述したように、例えばＲＧＢ空間からＣＭＹ空間を基本とした入力装置から出力装置の色空間変換に伴って行われる構成とすることができ、また、出力の色空間については、ライトシアンやライトマゼンタといった薄色や、レッド、グリーンといった特色に色空間変換する場合もあるが、同様に適用できる。
【００２８】
まず、彩度の圧縮について図３を参照して説明する。図３は、通常のフルカラー印刷を行ったときの彩度、比較例として入力データに対して一定の比率で階調を減らして色剤使用量を低減したとき（一律係数）の彩度、本発明を適用した場合の彩度ａ＊−ｂ＊を示している。
この図３から分かるように、比較例（一定の比率で階調を減らす方式）で印刷したときと、通常のフルカラー印刷時の彩度域を比べると、比較例の彩度域は図３のグラフの第一象限（色で言うと赤〜黄色にかけて）において、凹んでいる（図３の凹部１０００で示す）。この部分（凹部１０００）の色相は、他の色相よりも彩度を出すために色剤使用量が多く必要となる色相であり、一律の係数を乗じる比較例の方法では、色相ごとに彩度量を調整したくても制御することができない。
【００２９】
これに対し、本実施形態では、彩度域を通常のフルカラー印刷時と同じ形状の相似形となるように圧縮する。これにより、色剤使用量低減モードでも色相ごとに出力彩度がばらつくような現象を回避することができる。
【００３０】
なお、このとき、彩度域をフルカラー印刷の場合に比べてどれだけ圧縮するかは、どれだけ色剤使用量を減らすかによって決まるものであり任意に定めることができる。
【００３１】
次に、明度（明度方向）の圧縮について図４を参照して説明する。明度方向の圧縮は、図４に示すように彩度圧縮の後に全体的に明度を高くするような圧縮を掛ける。このとき、明度をどこまで高くするかは任意に定めることができる。例えば、フルカラー印刷時よりも色剤使用量を大きく下げたい場合は、明度を高く（薄く）するようにすればよい。明度の場合は、明度を高くする（薄くする）ことが色剤使用量の低減につながるため、そのまま色相は変えずに明度だけ高くした色を選ぶだけで、階調性が大きく崩れることなく色剤使用量の低減が可能となる。
【００３２】
また、上述した彩度域及び明度の圧縮の程度は色剤使用量の低減目標によって異なることになる。本実施形態では、カラー印刷時でもモノクロ印刷時と同じ色剤使用量にする、つまり、カラー印刷時の色剤使用量の目標色剤使用量は、当該カラー印刷を行う入力画像データをモノクロ印刷したときに使用する色剤使用量としている。
【００３３】
この場合、予め任意のカラーチャートにおけるモノクロ印刷時の色剤使用量を求めておき、その目標となる色剤使用量に対して、ほぼ同じ色剤使用量になるように彩度圧縮及び明度圧縮の少なくともいずれかを行うことで、モノクロ印刷時の色剤使用量と合わせることもできる。
【００３４】
ただし、色剤は成分によって価格が異なる場合、必ずしも黒の色剤の価格とカラーの色剤価格が同じになるとは限らない。この場合には、色剤使用量から更にコストを求め、モノクロ印刷時と同等以下のコストとなる色剤量の組合せを選択することが好ましい。
【００３５】
ここで、彩度及び明度の圧縮とともに色剤使用量を低減するデータへの変換処理を行うＣＭＭ変換処理部２Ｂの色剤使用量低減用ＬＵＴの作成手順について図５を参照して説明する。
まず、フルカラー印刷時の入力値（図５の例では、Ｒ＝０、Ｇ＝２２４、Ｂ＝２４０の入力データ）の色を出力したときのＣＩＥＬＡＢ色空間におけるａ＊ｂ＊値を求める。次に、求めたａ＊ｂ＊値より彩度量（原点から（ａ＊、ｂ＊）までの距離、図５の例ではＦｃｒｏｍａ［０］）を求める（図５の（１）、（２）の手順）。
【００３６】
次に、色剤使用量低減のため、圧縮しても良い彩度の割合ｓを任意に決めて、上記で求めたＦｃｒｏｍａ［＊］に対して、その割合ｓを掛け目標となる彩度Ｐｃｒｏｍａ［＊］を求める（図５の（３）の手順）。
【００３７】
その後、リストアップした同色相上の色の彩度（Ｐｃｒｏｍａ［＊］）とフルカラー印刷時の入力値を出力したときの彩度量（Ｆｃｒｏｍａ［０］）を比較し、同等以下となる変換条件を探す（図５の例では、Ｆｃｒｏｍａ［３１］が条件を満たす彩度量となる）（図５の（４）の手順）。
【００３８】
そして、見つかった変換条件（図５の例では、Ｃ［３１］、Ｍ［３１］、Ｙ［３１］、Ｋ［３１］が該当する。）が、色剤使用量低減モードにおける色変換値となる（図５の（５）の手順）。
【００３９】
これを入力値毎に求めることによって、色剤使用量低減モード用ＣＭＭ変換ＬＵＴを作成することができる。
【００４０】
上述したような手順を全ての入力点（入力値）に対して行うことは煩雑であるので、実際には代表的なサンプル点（例えば、ＲＧＢ値の各１６点おきの組合せとなる４９１３点、これに限るものではない。）を抽出し、この抽出した点において対応する点を探す手順を行った後にその他の点については補間演算を行って求めることが好ましい。これにより、色剤使用量低減モード用ＣＭＭ変換ＬＵＴの作成が容易になる。
【００４１】
また、上記実施形態におけるＦｃｒｏｍａ［＊］を求める手順（方法）としては、出力した印刷物を簡易的にカラースキャナなどで色を測る方法、測色器で測る方法がある。スキャナで色を測る方法では、コピー、スキャナ、プリンタが一体となったデジタル複合機でプリント機能を使用して印刷したカラーパッチをスキャナで取り込み、色を測ることが可能であるので、このような機能を用いてデータを取得する方法を取るのも良い。このような方法であれば、カラーパッチを印刷し、彩度の圧縮率ｓを決めるだけで、簡単に任意に決めた色剤使用量で印刷物を作ることが可能となり、ユーザにおいても実施することができる。
【００４２】
また、上記の説明では、彩度について説明している、明度についても同様な手順で行うことができる。
【００４３】
上述したＣＭＭ変換処理部２Ｂでは、入力画像データをカラー印刷するときに使用する色剤の使用量を低減する指定、即ち色剤使用量低減モードが指定されたときに、上述した色剤使用量低減モード用ＣＭＭ変換ＬＵＴを用いてＣＭＭ変換処理を行う。これにより、ＣＭＭ変換処理（ＲＧＢ色空間からＣＭＹ色空間への変換）を行うときに、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が入力画像をモノクロ印刷したときの色剤の使用量と同じ色剤使用量になるデータに変換することができる。
【００４４】
このように、入力画像をフルカラー印刷したときの色域を基準として、彩度域はフルカラー印刷時に対し相似形となるよう圧縮し、明度特性はフルカラー印刷時よりも全体的に高くなるように圧縮して、更に色剤の使用量が入力画像をモノクロ印刷したときの色剤の使用量と同じ色剤使用量になるデータに変換する色剤使用量低減処理を行うので、画像品質の低下を抑えつつ色剤のコストを低減できるようになる。
【００４５】
なお、上記説明においては、色剤使用量低減処理をＣＭＭ変換処理部のＬＵＴを用いて行う例で説明しているが、図６に示すように、ＣＭＭ変換処理とＢＧ／ＵＣＲ処理は、ＣＭＭ変換処理用３次元ＬＵＴの値として直接統合することができる（前述したようにＲＧＢ値からＣＭＹＫ値に変換する）ので、この統合されたＣＭＭ変換処理部２Ｂで行うこともできる。
【００４６】
同様に、図７及び図８に示すように、ＣＭＭ変換処理部２の前処理、あるいは、ＢＧ／ＵＣＲ処理部３の後処理として、色相補正ＬＵＴ部８を設けて、この色相補正ＬＵＴ部８で色剤使用量低減処理における変換処理を行う構成とすることもできる。
【００４７】
なお、色剤使用量低減処理用のＬＵＴは、ソフトウエアパラメータとしてプログラム上から呼び出すことも、ＲＯＭやＲＡＭに記憶させてハードウエア処理に使用することもできる。色剤使用量低減処理用ＬＵＴや、それを用いて色剤使用量低減処理を行うプログラムは、ＣＤやＤＶＤといったデータ記録媒体に保存した状態、あるいはネットワークを介して配布可能である
【００４８】
また、上記の説明ではＬＵＴを用いて色剤使用量低減処理を行っているが、ＬＵＴに限らず演算処理を行うようにすることもできる。
【００４９】
このように、本発明では、色剤使用量低減モードであっても、通常のフルカラー印刷時の彩度・明度特性を基準として、彩度はフルカラー印刷時の彩度域に対し相似形の彩度域を取るように圧縮し、その上、明度特性はフルカラー印刷のよりも全体的に高くなるような色域になるよう色剤使用量を調整することで色相ごとの彩度や明度の圧縮率のばらつきを低減し、画像品質を劣化することなく、色剤使用量の低減を図ることができる。
【００５０】
次に、本発明に係る画像処理装置と画像形成装置であるインクジェットプリンタ（インクジェット記録装置）とで構成した本発明に係る印刷システムの一例について図９を参照して説明する。
この印刷システム（画像形成システム）は、パーソナルコンピュータ（ＰＣ）などからなる１又は複数台の画像処理装置１００と、インクジェットプリンタ２００とが、所定のインターフェイス又はネットワークで接続されて構成されている。
【００５１】
画像処理装置１００は、図１０に示すように、ＣＰＵ１０１と、メモリ手段である各種のＲＯＭ１０２やＲＡＭ１０３とが、バスラインで接続されている。このバスラインには、所定のインターフェイスを介して、ハードディスクなどの磁気記憶装置を用いた記憶装置１０６と、マウスやキーボードなどの入力装置１０４と、ＬＣＤやＣＲＴなどのモニタ１０５と、図示しないが、光ディスクなどの記憶媒体を読み取る記憶媒体読取装置が接続され、また、インターネットなどのネットワークやＵＳＢなどの外部機器と通信を行なう所定のインターフェイス（外部Ｉ／Ｆ）１０７が接続されている。
【００５２】
画像処理装置１００の記憶装置１０６には、前述した色剤使用量低減処理用ＬＵＴを用いるＣＭＭ変換処理を含む本発明に係るプログラムなどの画像処理プログラムが記憶されている。この画像処理プログラムは、記憶媒体から記憶媒体読取装置により読み取って、あるいは、インターネットなどのネットワークからダウンロードするなどして、記憶装置１０６にインストールされたものである。このインストールにより画像処理装置１００は、上述した画像処理装置におけると同様な画像処理を行なうために動作可能な状態となる。なお、この画像処理プログラムは、所定のＯＳ上で動作するものであってもよい。また、特定のアプリケーションソフトの一部をなすものであってもよい。
【００５３】
この画像処理装置１００は、アプリケーションソフトなどからのプリント命令がソフトウェアとして組み込まれたプリンタドライバで画像処理されてインクジェット記録装置２００が出力可能な多値のドットパターンのデータ（出力画像データ）が生成され、それがラスタライズされてインクジェット記録装置２００に転送され，インクジェット記録装置２００によって印刷出力される。
【００５４】
ここで、この画像処理装置１００内の本発明に係るプログラムとしてのプリンタドライバによる画像処理の流れについて図１１に示すブロック説明図を参照して説明する。
パーソナルコンピュータなどのデータ処理装置上で動作するアプリケーションソフトから「印刷」指示が出されると、プリンタドライバにおいては、入力６００に対してオブジェクト判定処理６０１でオブジェクトの種類を判定し、オブジェクト毎、つまり文字の画像データ６０２、線画の画像データ６０３、グラフィックスの画像データ６０４、イメージの画像データ６０５毎にデータが渡され、それぞれのルートを通って処理が行われる。
【００５５】
つまり、文字６０２、線画６０３、グラフィックス６０４については、カラー調整処理６０６を行なう。そして、文字についてはカラーマッチング処理（ＣＭＭ変換処理）６０７、ＢＧ／ＵＣＲ処理６０９、総量規制処理６１１を行い、更に文字ディザ処理（中間調処理）６１５を行なう。また、線画及グラフィックスについてはカラーマッチング処理６０８、ＢＧ／ＵＣＲ処理６１０、総量規制処理６１２、γ補正処理６１３を行い、更にグラフィックスディザ処理（中間調処理）６１６を行なう。
【００５６】
一方、イメージ６０５については、色判定及び圧縮方式判定処理６２１を行って、通常の場合には、カラー調整処理６２２、カラーマッチング処理６２３を行なった後、ＢＧ／ＵＣＲ処理６２４、総量規制処理６２５、γ補正処理６２３を行い、更に誤差拡散処理（中間調処理）６２７を行なう。また、２色以下の場合には、イメージ間引き処理６３１、カラー調整処理６３２、カラーマッチング処理６３３ａ又はインデックスレス処理（カラーマッチングを行なわない処理）６３３ｂを行なった後、ＢＧ／ＵＣＲ処理６２４、総量規制処理６２５、γ補正処理６２６を行い、更に誤差拡散処理（中間調処理）６２７を行なう。
【００５７】
なお、線画及びグラフィックスについてはカラー調整処理６０６に至る前に分岐してＲＯＰ処理６４１を経てイメージの場合のカラーマッチング処理６３２に移行することもある。
【００５８】
このようにしてオブジェクト毎に処理された画像データは、また元の一つの画像データに合成され、図示しないがラスタライジング処理を経てインクジェット記録装置２００へと渡されることになる
【００５９】
ここで、例えばイメージについてのカラーマッチング処理６２３においては、前述した色剤使用量低減処理用ＬＣＴを用いたＣＭＭ変換処理を行うことによって、イメージをカラー印刷するときに、前述したような彩度及び明度の圧縮が行われ、色剤使用量がモノクロ印刷時の色剤使用量と同等になるように制限されて、色相のばらつきを抑制しつつ色剤使用量を低減することができる。
【００６０】
次に、インクジェット記録装置２００の一例について図１２ないし図１４を参照して説明する。なお、図１２は同装置の機構部の全体構成を説明する概略構成図、図１３は同機構部の要部平面説明図、図１４は同装置の制御部の概要を示すブロック説明図である。
このインクジェット記録装置２００は、シリアル型画像形成装置であり、左右の側板２０１Ａ、２０１Ｂに横架したガイド部材である主従のガイドロッド２３１、２３２でキャリッジ２３３を主走査方向に摺動自在に保持し、図示しない主走査モータによってタイミングベルトを介して矢示方向（キャリッジ主走査方向）に移動走査する。
【００６１】
このキャリッジ２３３には、イエロー（Ｙ）、シアン（Ｃ）、マゼンタ（Ｍ）、ブラック（Ｋ）の各色のインク滴を吐出するための本発明に係る液体吐出ヘッドからなる記録ヘッド２３４ａ、２３４ｂ（区別しないときは「記録ヘッド２３４」という。）を複数のノズルからなるノズル列を主走査方向と直交する副走査方向に配列し、インク滴吐出方向を下方に向けて装着している。
また、ＣＭＹＫに薄色や特色といった色剤が増えた場合についても、ノズルやヘッドの数を増やすことで、ＣＭＹＫと同様な記録ヘッド構成にすることができる。
【００６２】
記録ヘッド２３４は、それぞれ２つのノズル列を有し、記録ヘッド２３４ａの一方のノズル列はブラック（Ｋ）の液滴を、他方のノズル列はシアン（Ｃ）の液滴を、記録ヘッド２３４ｂの一方のノズル列はマゼンタ（Ｍ）の液滴を、他方のノズル列はイエロー（Ｙ）の液滴を、それぞれ吐出する。なお、ここでは２ヘッド構成で４色の液滴を吐出する構成としているが、各色毎の記録ヘッドを備えることもできるし、４色の液滴を吐出する複数のノズルを並べたノズル列を有する１つの記録ヘッド構成とすることもできる。
また、ＣＭＹＫに薄色や特色といった色剤が増えた場合についても、ノズルやヘッドの数を増やすことで、ＣＭＹＫと同様な記録ヘッド構成にすることができる。
【００６３】
また、キャリッジ２３３には、記録ヘッド２３４のノズル列に対応して各色のインクを供給するためのサブタンク２３５ａ、２３５ｂ（区別しないときは「サブタンク２３５」という。）を搭載している。このサブタンク２３５には各色の供給チューブ２３６を介して、供給ユニット２２４によって各色のインクカートリッジ２１０から各色のインクが補充供給される。
【００６４】
一方、給紙トレイ２０２の用紙積載部（圧板）２４１上に積載した用紙２４２を給紙するための給紙部として、用紙積載部２４１から用紙２４２を１枚ずつ分離給送する半月コロ（給紙コロ）２４３及び給紙コロ２４３に対向し、摩擦係数の大きな材質からなる分離パッド２４４を備え、この分離パッド２４４は給紙コロ２４３側に付勢されている。
【００６５】
そして、この給紙部から給紙された用紙２４２を記録ヘッド２３４の下方側に送り込むために、用紙２４２を案内するガイド部材２４５と、カウンタローラ２４６と、搬送ガイド部材２４７と、先端加圧コロ２４９を有する押さえ部材２４８とを備えるとともに、給送された用紙２４２を静電吸着して記録ヘッド２３４に対向する位置で搬送するための搬送手段である搬送ベルト２５１を備えている。
【００６６】
この搬送ベルト２５１は、無端状ベルトであり、搬送ローラ２５２とテンションローラ２５３との間に掛け渡されて、ベルト搬送方向（副走査方向）に周回するように構成している。また、この搬送ベルト２５１の表面を帯電させるための帯電手段である帯電ローラ２５６を備えている。この帯電ローラ２５６は、搬送ベルト２５１の表層に接触し、搬送ベルト２５１の回動に従動して回転するように配置されている。この搬送ベルト２５１は、図示しない副走査モータによってタイミングを介して搬送ローラ２５２が回転駆動されることによってベルト搬送方向に周回移動する。
【００６７】
さらに、記録ヘッド２３４で記録された用紙２４２を排紙するための排紙部として、搬送ベルト２５１から用紙２４２を分離するための分離爪２６１と、排紙ローラ２６２及び排紙コロ２６３とを備え、排紙ローラ２６２の下方に排紙トレイ２０３を備えている。
【００６８】
また、装置本体の背面部には両面ユニット２７１が着脱自在に装着されている。この両面ユニット２７１は搬送ベルト２５１の逆方向回転で戻される用紙２４２を取り込んで反転させて再度カウンタローラ２４６と搬送ベルト２５１との間に給紙する。また、この両面ユニット２７１の上面は手差しトレイ２７２としている。
【００６９】
さらに、キャリッジ２３３の走査方向一方側の非印字領域には、記録ヘッド２３４のノズルの状態を維持し、回復するための回復手段を含む本発明に係るヘッドの維持回復装置である維持回復機構２８１を配置している。この維持回復機構２８１には、記録ヘッド２３４の各ノズル面をキャピングするための各キャップ部材（以下「キャップ」という。）２８２ａ、２８２ｂ（区別しないときは「キャップ２８２」という。）と、ノズル面をワイピングするためのブレード部材であるワイパブレード２８３と、増粘した記録液を排出するために記録に寄与しない液滴を吐出させる空吐出を行うときの液滴を受ける空吐出受け２８４などを備えている。
【００７０】
また、キャリッジ２３３の走査方向他方側の非印字領域には、記録中などに増粘した記録液を排出するために記録に寄与しない液滴を吐出させる空吐出を行うときの液滴を受ける空吐出受け２８８を配置し、この空吐出受け２８８には記録ヘッド２３４のノズル列方向に沿った開口部２８９などを備えている。
【００７１】
次に、このインクジェット記録装置２００の制御部は、図１４に示すように、装置全体の制御を司るマイクロコンピュータなどで構成した主制御部５０１及び印刷制御を司るマイクロコンピュータで構成した印刷制御部５０２を備え、画像処理装置（情報処理装置）１００から通信回路５００を介して画像データを受信する。画像処理装置１００は、アプリケーション１１１を通してユーザより印刷命令があった場合、ＯＳ（例えばＧＤＩ：Graphic Device Interface）１１２がインクジェット記録装置２００で出力する画像データをプリンタドライバ１１３に伝達する。プリンタドライバ１１３は、アプリケーション１１１から伝達された画像データを、インクジェット記録装置２００が処理できる形式の印刷画像データに変換して、外部Ｉ／Ｆ１０７、通信回路５００を経由してインクジェット記録装置２００に入力する。
【００７２】
主制御部５０１は、通信回路５００から入力される画像データに基づいて用紙２４２に画像を形成するために、前述したように、キャリッジ２３３を移動走査する主走査モータ５３１や搬送ローラ２５２を回転駆動する副走査モータ５３２を主走査モータ駆動回路５０３及び副走査モータ駆動回路５０４を介して駆動制御するとともに、印刷制御部３０２に対して印刷用データを送出するなどの制御を行なう。
【００７３】
主制御部５０１には、キャリッジ２３３の位置を検出するキャリッジ位置検出回路５０５からの検出信号が入力され、主制御部５０１はこの検出信号に基づいてキャリッジ２３３の移動位置及び移動速度を制御する。キャリッジ位置検出回路５０５は、キャリッジ２３３の走査方向に配置されたエンコーダシートのスリット数を、キャリッジ２３３に搭載されたフォトセンサで読み取って計数することで、キャリッジ２３３の位置を検出する。主走査モータ駆動回路５０３は、主制御部５０１から入力されるキャリッジ移動量に応じて主走査モータ５３１を回転駆動させて、キャリッジ２３３を所定の位置に所定の速度で移動させる。
【００７４】
主制御部５０１には搬送ベルト２５１の移動量を検出する搬送量検出回路５０６からの検出信号が入力され、主制御部５０１はこの検出信号に基づいて搬送ベルト２５１の移動量及び移動速度を制御する。搬送量検出回路５０６は、例えば、搬送ローラ２５２の回転軸に取り付けられた回転エンコーダシートのスリット数を、フォトセンサで読み取って計数することで搬送量を検出する。副走査モータ駆動回路５０４は、主制御部５０１から入力される搬送量に応じて副走査モータ５３２を回転駆動させて、搬送ローラ２５２を回転駆動して搬送ベルト２５１を所定の位置に所定の速度で移動させる。
【００７５】
主制御部５０１は、図示しない給紙コロ駆動回路に給紙コロ駆動指令を与えることによって給紙コロ２４３を一回転させる。主制御部３０１は、維持回復機構駆動用モータ駆動回路５１１を介してモータ５３３を回転駆動することにより、キャップ８２の昇降、ワイパブレード８３の昇降などを行なわせる。
【００７６】
主制御部５０１は、インク供給モータ駆動回路５１２を介して供給ポンプユニット２４の供給ポンプを駆動してインクカートリッジ２１０からサブタンク２３５にインクを給送させる制御をする。
【００７７】
主制御部５０１には、センサ群５２０からの各種検知信号が入力される。また、主制御部５０１は、カートリッジ通信回路５１５を通じて、各インクカートリッジ２１０に設けられる記憶手段である不揮発性メモリ５１６に記憶されている情報を取り込んで、所要の処理を行なって、本体側記憶手段である不揮発性メモリ（例えば、ＥＥＰＲＯＭ）５１４に格納保持する。
【００７８】
なお、インクカートリッジ２１０の不揮発性メモリ５１６（情報記憶手段）にインク（色剤）の単位量当たりの色剤コスト情報を記憶しておき、あるいは、色剤型式情報を記憶しておき、これらの色剤コスト情報や色剤型式情報を、主制御部５０１が取り込んで画像処理装置１００側に転送するようにすることもできる。
【００７９】
印刷制御部５０２は、主制御部５０１からの信号とキャリッジ位置検出回路５０５及び搬送量検出回路５０６などからのキャリッジ位置や搬送量に基づいて、記録ヘッド２３４の液滴を吐出させるための圧力発生手段を駆動するためのデータを生成して、ヘッド駆動回路５１０に与える。
【００８０】
ヘッド駆動回路５１０は、印刷制御部５０２からの印刷データに基づいて記録ヘッド３４の圧力発生手段（ピエゾ型ヘッドであれば圧電素子）を駆動して、所要のノズルから液滴を吐出させる。
【００８１】
このように構成したこのインクジェット記録装置２００においては、給紙トレイ２０２から用紙２４２が１枚ずつ分離給紙され、略鉛直上方に給紙された用紙２４２はガイド２４５で案内され、搬送ベルト２５１とカウンタローラ２４６との間に挟まれて搬送され、更に先端を搬送ガイド２３７で案内されて先端加圧コロ２４９で搬送ベルト２５１に押し付けられ、略９０°搬送方向を転換される。
【００８２】
このとき、帯電ローラ２５６に対してプラス出力とマイナス出力とが交互に繰り返すように、つまり交番する電圧が印加され、搬送ベルト２５１が交番する帯電電圧パターン、すなわち、周回方向である副走査方向に、プラスとマイナスが所定の幅で帯状に交互に帯電されたものとなる。このプラス、マイナス交互に帯電した搬送ベルト２５１上に用紙２４２が給送されると、用紙２４２が搬送ベルト２５１に吸着され、搬送ベルト２５１の周回移動によって用紙２４２が副走査方向に搬送される。
【００８３】
そこで、キャリッジ２３３を移動させながら画像信号に応じて記録ヘッド２３４を駆動することにより、停止している用紙２４２にインク滴を吐出して１行分を記録し、用紙２４２を所定量搬送後、次の行の記録を行う。記録終了信号又は用紙２４２の後端が記録領域に到達した信号を受けることにより、記録動作を終了して、用紙２４２を排紙トレイ２０３に排紙する。
【００８４】
なお、上実施形態では画像処理装置側で色剤使用量低減処理を行った画像データを生成しているが、画像形成装置側で色剤使用量低減処理を行った画像データを生成することもでき、例えば、スキャナなどの画像読取装置を備えたいわゆるマルチファンクションの画像形成装置における画像処理にも本発明を同様に適用することができる。また、画像形成装置としては、インクジェット記録方式に限らず、電子写真方式、サーマル転写方式など、いずれの画像形成方式の画像形成装置であっても適用することができる。
【図面の簡単な説明】
【００８５】
【図１】本発明に係る画像処理装置の一例を示す機能ブロック説明図である。
【図２】ＣＭＭ変換処理の説明に供する説明図である。
【図３】彩度の圧縮の説明に供する説明図である。
【図４】明度の圧縮の説明に供する説明図である。
【図５】色剤使用量低減処理を含むＣＭＭ変換処理で使用するＬＵＴの作成手順の説明に供する説明図である。
【図６】本発明に係る画像処理装置の他の例を示す機能ブロック説明図である。
【図７】本発明に係る画像処理装置の更に他の例を示す機能ブロック説明図である。
【図８】本発明に係る画像処理装置の更にまた他の例を示す機能ブロック説明図である。
【図９】本発明に係る印刷システムの一例を示すブロック説明図である。
【図１０】同システムの画像処理装置（情報処理装置）のブロック説明図である。
【図１１】同画像処理装置におけるデータの流れの説明に供するブロック説明図である。
【図１２】同システムのインクジェット記録装置の機構部の一例を示す側面説明図である。
【図１３】同じく要部平面説明図である。
【図１４】同じく制御部の概要を示すブロック説明図である。
【符号の説明】
【００８６】
２…ＣＭＭ変換処理部
２Ａ…ＣＭＭ変換処理部（通常モード用）
２Ｂ…ＣＭＭ変換処理部（色剤使用量低減モード用：色剤使用量低減処理手段）
３…ＢＧ／ＵＣＲ処理部
１００…画像処理装置
２００…インクジェット記録装置
【図１】
2010074325.tif 000003
【図２】
2010074325.tif 000004
【図３】
2010074325.tif 000005
【図４】
2010074325.tif 000006
【図５】
2010074325.tif 000007
【図６】
2010074325.tif 000008
【図７】
2010074325.tif 000009
【図８】
2010074325.tif 000010
【図９】
2010074325.tif 000011
【図１０】
2010074325.tif 000012
【図１１】
2010074325.tif 000013
【図１２】
2010074325.tif 000014
【図１３】
2010074325.tif 000015
【図１４】
2010074325.tif 000016